(57)【要約】      （修正有）【課題】睡眠・休息の時間を利用して猫背をゆっくりと矯正する猫背理学療法用のパッドを提供する。【解決手段】猫背理学療法用のパッドは、カバー層１と充填層２とを備え、カバー層１は充填層２の外周側に被装され、充填層２はカバー層１内に封止して配置され、充填層２は弾性材質からなり、カバー層１は通気性材質からなる。充填層２の弾性材質によって、快適な使用感、胸部の張り、及び疲労軽減を実現し、肩の前傾姿勢を軽減し、背筋の矯正に役立つ。【選択図】図３
0003227474.tif 000002
【実用新案登録請求の範囲】
【請求項１】
カバー層（１）と充填層（２）とを備え、前記カバー層（１）は前記充填層（２）の外周側に被装され、前記充填層（２）は前記カバー層（１）内に封止して配置され、前記充填層（２）は弾性材質からなり、前記カバー層（１）は通気性材質からなる、ことを特徴とする猫背理学療法用のパッド。
【請求項２】
前記充填層（２）には複数の通気孔（３）が開設され、複数の前記通気孔（３）はいずれも前記充填層（２）内に設けられ、前記通気孔（３）の一端が前記カバー層（１）の上面に当接し、前記通気孔（３）の他端が前記カバー層（１）の下面に当接する、ことを特徴とする請求項１に記載の猫背理学療法用のパッド。
【請求項３】
複数の前記通気孔（３）は、等間隔のアレイに配置され、前記通気孔（３）が前記充填層（２）の上下面に垂直である、ことを特徴とする請求項２に記載の猫背理学療法用のパッド。
【請求項４】
前記充填層（２）は、長方形のシート構造であり、前記充填層（２）の一方の長さの縁部には第１長斜辺（４）が設けられ、前記充填層（２）の他方の長さの縁部には第２長斜辺（５）が設けられている、ことを特徴とする請求項１に記載の猫背理学療法用のパッド。
【請求項５】
前記充填層（２）の一方の幅の縁部には第１短斜辺（６）が設けられ、前記充填層（２）の他方の幅の縁部には第２短斜辺（７）が設けられている、ことを特徴とする請求項４に記載の猫背理学療法用のパッド。
【請求項６】
前記第１長斜辺（４）、前記第２長斜辺（５）、前記第１短斜辺（６）、及び前記第２短斜辺（７）は、いずれも前記充填層（２）の上面との間に、鋭角である傾斜角度を有している、ことを特徴とする請求項５に記載の猫背理学療法用のパッド。
【請求項７】
前記傾斜角度は４５°である、ことを特徴とする請求項６に記載の猫背理学療法用のパッド。
【請求項８】
前記充填層（２）は、ラテックスコットン、シリカゲルコットン、又はスペースコットンの材質を一体に切断して成型される、ことを特徴とする請求項１に記載の猫背理学療法用のパッド。
【請求項９】
前記カバー層（１）は、薄肉メッシュ材質である、ことを特徴とする請求項１に記載の猫背理学療法用のパッド。
【請求項１０】
前記充填層（２）の厚さは、１ｃｍ〜３ｃｍの範囲であり、前記充填層（２）の幅は、１０ｃｍ〜２０ｃｍの範囲であり、前記充填層（２）の長さは、３０ｃｍ〜１６０ｃｍの範囲である、ことを特徴とする請求項１に記載の猫背理学療法用のパッド。
【考案の詳細な説明】
【技術分野】
【０００１】
本考案の実施例は、日用品の技術分野に関し、具体的に、猫背理学療法用のパッドに関する。
【背景技術】
【０００２】
年をとって猫背になるのは人間の老化の自然現象である。これは、人間の手足のダイナミクスが作業中及び生産活動中に前屈する傾向がある状態に由来するものである。特に背中曲がりが特に深刻である。年齢の上がりと年の伸びにつれて、人体の曲がり形状、つまり猫背がゆっくりと固くなる。勉強や仕事をしているほとんどの人の活動状態にある背中はいずれも前屈した状態になっているため、机に向かって勉強する学生や、サラリーマン、農場の農家はいずれも猫背になってしまう可能性がある。そのため、ほとんどの高齢者には、一定程度の猫背形態があり、これは「不可抗力の自然現象」のようである。
【０００３】
現在社会のより深刻な「うつむき族」として、背中曲がりは、勉強や仕事をしている人に限定されず、乗車、車待ち及び休息の人にまで拡大することができる。その範囲は、既にティーンエイジャー及び若者に広がり、５０年後、これらのうつむき族はすべて道を見下ろすだけの深刻な「猫背族」となるため、猫背を防ぐことは現代的で有益なことである。
【考案の概要】
【考案が解決しようとする課題】
【０００４】
そこで、本考案の実施例は、従来技術における睡眠及び休息中に猫背が矯正できないという問題を解決するための猫背理学療法用のパッドを提供することを目的とする。
【課題を解決するための手段】
【０００５】
上記の目的を達成するために、本考案の実施例は以下のような技術案を提供する。
【０００６】
本考案の実施例の第１態様によれば、カバー層と充填層とを備え、カバー層は充填層の外周側に被装され、充填層はカバー層内に封止して配置され、充填層は弾性材質からなり、カバー層は通気性材質からなる猫背理学療法用のパッドを提供する。
【０００７】
好ましくは、充填層には複数の通気孔が開設され、複数の通気孔はいずれも充填層内に設けられ、通気孔の一端がカバー層の上面に当接し、通気孔の他端がカバー層の下面に当接する。
【０００８】
好ましくは、複数の通気孔は、等間隔のアレイに配置され、充填層の上下面に垂直である。
【０００９】
好ましくは、充填層は、長方形のシート構造であり、充填層の一方の長さの縁部には第１長斜辺が設けられ、充填層の他方の長さの縁部には第２長斜辺が設けられている。
【００１０】
好ましくは、充填層の一方の幅の縁部には第１短斜辺が設けられ、充填層の他方の幅の縁部には第２短斜辺が設けられている。
【００１１】
好ましくは、第１長斜辺、第２長斜辺、第１短斜辺、及び第２短斜辺は、いずれも充填層の上面との間に、鋭角である傾斜角度を有している。
【００１２】
好ましくは、傾斜角度は４５°である。
【００１３】
好ましくは、充填層は、ラテックスコットン、シリカゲルコットン、又はスペースコットンの材質を一体に切断して成型される。
【００１４】
好ましくは、カバー層は薄肉メッシュ材質である。
【００１５】
好ましくは、充填層の厚さは、１ｃｍ〜３ｃｍの範囲であり、充填層の幅は、１０ｃｍ〜２０ｃｍの範囲であり、充填層の長さは、３０ｃｍ〜１６０ｃｍの範囲である。
【考案の効果】
【００１６】
本考案によれば、人体の睡眠時に使用され、睡眠・休息の時間を利用して猫背をゆっくりと矯正し、頚椎症や、腰椎症に対する理学療法効果が顕著であり、心臓や胸の圧迫感のある人への効果が顕著であり、充填層の弾性材質によって、快適な使用感、胸部の張り、及び疲労軽減を実現し、肩の前傾姿勢を軽減し、背筋の矯正に役立つという利点がある。
【００１７】
本考案の実施形態又は従来技術における技術案をより明確に説明するために、以下では、実施形態又は従来技術の説明に必要な図面について簡単に紹介する。明らかに、以下の説明における図面は例示に過ぎず、当業者であれば、創造的な努力なしに、提供された図面から他の実施可能な図面を得ることができる。
【００１８】
本明細書に示されている構造、比率、サイズ等は、いずれも明細書に開示する内容に合わせて、当該技術を周知する者に理解及び読ませるためのものに過ぎず、本考案の実施可能な限定条件ではない。故に、技術上の実質的な意味がなく、如何なる構造の変更、比率関係の変化、又はサイズの調整は、本考案が生成する有効性及び達成可能な目的に影響を与えない限り、本考案に開示する技術内容にカバーされる範囲内に含まれるべきである。
【図面の簡単な説明】
【００１９】
【図１】本考案の一実施例による猫背理学療法用のパッドの斜視図である。
【図２】本考案の一実施例による猫背理学療法用のパッドの上面図である。
【図３】本考案の一実施例による猫背理学療法用のパッドの断面図である。
【図４】本考案の一実施例による猫背理学療法用のパッドの充填層の斜視図である。
【図５】本考案の一実施例による猫背理学療法用のパッドの使用状態図である。
【考案を実施するための形態】
【００２０】
以下、特定の具体的な実施例によって本考案の実施形態を説明するが、当業者であれば、本明細書に開示された内容から本考案の他の利点や効果を容易に理解できるであろう。勿論、説明した実施例は本考案の一部の実施例であり、すべての実施例ではない。本考案における実施例に基づいて、創造的な努力なしに当業者によって得られる他のすべての実施例は、いずれも本考案の保護範囲内に含まれる。
【実施例１】
【００２１】
図１から図４に示すように、本実施例による猫背理学療法用のパッドは、カバー層１と充填層２とを備え、カバー層１は充填層２の外周側に被装され、充填層２はカバー層１内に封止して配置され、充填層２は弾性材質からなり、カバー層１は通気性材質からなる。
【００２２】
図５に示すように、使用時に猫背理学療法用のパッドは睡眠用のベッドの敷布団の下面の上側に平らに置かれ、仰臥位において２つの脇の直線よりも下方に置かれている。理学療法の効果は次の通りである。本実施例の猫背理学療法用のパッドの材料は、柔らかく、繊細で耐久弾性があり、背中を常に支える支持力がある。材料が繊細で柔らかいため、このような支持力には強制性がなく、柔らかくて長持ちするため、硬く支持されることが感じられない。逆に、特に快適で、胸を張って疲労の解消が感じられる。人体が横臥している場合、パッドは脇下にあり、便秘の場合に肩下に置くと、肩部の負荷を低減させる。人体が横臥している場合、胸部の重力が基本的に側肩に作用するため、肩部がリラックスし、疲労が軽減され、前傾形態が軽減して、背部の矯正に役立つ。
【００２３】
使用時に、人体の睡眠時間は約８時間であり、猫背理学療法用のパッドは睡眠の休息時間を利用して猫背をゆっくりと矯正しており、横臥でも仰臥でも一般的に６ヶ月後に効果が現れ、背中がまっすぐになり、胸が張られる。
【００２４】
本実施例の疾病の理学療法効果として、頚椎症に対する理学療法効果が顕著である。これは、猫背を矯正する際に、頚椎及び腰椎の形態もそれに応じて矯正されるからである。また、心臓疾患と胸部圧迫感のある人に対する効果が顕著である。これは、胸を張ると胸の拡大と同じなので気持ちがよくなるからである。
【００２５】
この製品の治療には３つのタイプがある。様々な人間の状況によって、（１）重度の猫背型、（２）軽度の猫背型、（３）予防可能猫背型に分けられる。
【００２６】
本実施例によれば、人体の睡眠時に使用され、睡眠・休息の時間を利用して猫背をゆっくりと矯正し、頚椎症や、腰椎症に対する理学療法効果が顕著であり、心臓や胸の圧迫感のある人への効果も顕著であり、充填層２の弾性材質によって、快適な使用感、胸部の張り、及び疲労軽減を実現し、肩の前傾姿勢を軽減し、背筋の矯正に役立つという技術的効果が達成できる。
【実施例２】
【００２７】
図１から図４に示すように、本実施例における猫背理学療法用のパッドは、実施例１中のすべての技術的特徴を備えていることに加えて、充填層２には複数の通気孔３が開設され、複数の通気孔３はいずれも充填層２内に設けられ、通気孔３の一端がカバー層１の上面に当接し、通気孔３の他端がカバー層１の下面に当接する。複数の通気孔３は、等間隔のアレイに配置され、通気孔３が充填層２の上下面に垂直してもよい。
【００２８】
本実施例によれば、通気孔３を配置することによって、理学療法用のパッドの通気性能を向上させ、不通気による人体の汗の滞留が回避されるという有益な効果がある。
【実施例３】
【００２９】
図１から図４に示すように、本実施例における猫背理学療法用のパッドは、実施例２中のすべての技術的特徴を備えていることに加えて、充填層２は長方形のシート構造であり、充填層２の一方の長さの縁部には第１長斜辺４が設けられ、充填層２の他方の長さの縁部には第２長斜辺５が設けられている。また、充填層２の一方の幅の縁部には第１短斜辺６が設けられ、充填層２の他方の幅の縁部には第２短斜辺７が設けられてもよい。第１長斜辺４、第２長斜辺５、第１短斜辺６、及び第２短斜辺７は、いずれも充填層２の上面との間に、鋭角である傾斜角度を有してもよい。傾斜角度は４５°であってもよい。つまり、第１長斜辺４、第２長斜辺５、第１短斜辺６、及び第２短斜辺７は、いずれも充填層２の上面の４つの縁部に設けられた面取り斜面であり、対応するカバー層１が充填層２の外側に被着されると、カバー層１の上面の４つの縁部も面取り斜面を有することになる。
【００３０】
本実施例によれば、第１長斜辺４、第２長斜辺５、第１短斜辺６、及び第２短斜辺を配置することによって、使用時のエッジ角による不快感が低減され、背部の快適さが向上されるという有益な効果がある。
【実施例４】
【００３１】
図１から図４に示すように、本実施例における猫背理学療法用のパッドは、実施例３中のすべての技術的特徴を備えていることに加えて、充填層２はラテックスコットン、シリカゲルコットン、又はスペースコットンの材質を一体に切断して成型される。また、カバー層１は薄肉メッシュ材質であってもよい。例えば、充填層２の厚さは、１ｃｍ〜３ｃｍの範囲であり、充填層２の幅は、１０ｃｍ〜２０ｃｍの範囲であり、充填層２の長さは、３０ｃｍ〜１６０ｃｍの範囲であってもよい。
【００３２】
本実施例によれば、充填層２が上記材質中のいずれかを使用することによって、製造コストが低く、人体の背中曲線が一定の変形記憶効果を有し、人体の使用時の快適さを向上すると共に、製造コストが低くなるという有益な効果がある。また、充填層２のサイズ範囲を設定することによって、様々な人間グループに応じて異なるサイズの理学療法用のパッドを設定することができ、より良い関連性を持って伊いると同時に、理学療法用のパッドの標準化と一貫性を向上させるという有益な効果がある。
【実施例５】
【００３３】
本実施例における猫背理学療法用のパッドは、実施例４中のすべての技術的特徴を備えていることに加えて、カバー層１の上面には弾性ストラップが設けられ、弾性ストラップの数は２つであり、カバー層１の長さ方向にそれぞれ設けられおり、弾性ストラップの両端はカバー層１に固定される。使用時に、弾性ストラップを人体の腕に装着すればよい。
【００３４】
本実施例によれば、弾性ストラップを配置することによって、人間が座っても猫背理学療法用のパッドを利用して理学療法を行うことができる効果を向上し、猫背理学療法用のパッドの位置を調整する手間を減らすという有益な効果がある。
【００３５】
なお、上記では一般的な説明及び具体的な実施例を用いて本考案について詳しく説明してきたが、本考案に基づいて、幾つかの修正又は改善することができる。これは、当業者にとって自明なことである。従って、本考案の趣旨から逸脱しない限り、これらの修正又は改善は、いずれも本考案の保護請求する範囲に属する。
【００３６】
本明細書で引用されている「上」、「下」、「左」、「右」、「中間」等の用語も、説明の便宜のためだけのものであり、本考案の実施可能な範囲を限定するためのものではない。その相対的な関係の変化又は調整は、実質的な技術内容の変更がない限り、本考案の実施可能な範囲であると見なすべきである。
【符号の説明】
【００３７】
１  カバー層
２  充填層
３  通気孔
４  第１長斜辺
５  第２長斜辺
６  第１短斜辺
７  第２短斜辺
【図１】
0003227474.tif 000003
【図２】
0003227474.tif 000004
【図３】
0003227474.tif 000005
【図４】
0003227474.tif 000006
【図５】
0003227474.tif 000007